(57)【要約】【課題】            従来、図書館における資料、特に図書の自動貸出、返却手続に関し、使用する機器は、モニター及び管理用パーソナルコンピュータを少なくとも必要とし、価格が非常に高く、サイズも重量も大きくなるため、それに見合うスペースを必要とし、移動も困難で、ランニングコスト、メンテナンスフィーにも大きな費用を要することとなってしまうという点である。【解決手段】        携行移動を可能な画面表示端末を図書館の所蔵資料のデータベースと電気的に接続して、利用者の認証と前記所蔵資料に設けられた個体識別データを確認し、前記所蔵資料の貸出及び返却を行なうこととし、前記した画面表示端末はタブレットとして自動貸出返却機に装着し、前記したデータベースはその自動貸出返却機に接続してあることとし、前記したタブレットは自動貸出返却機に着脱可能としてあることとする。【選択図】          図１
2015219676.tif 000002
【特許請求の範囲】
【請求項１】
携行移動を可能な画面表示端末を図書館の所蔵資料のデータベースと電気的に接続して、利用者の認証と前記所蔵資料に設けられた個体識別データを確認し、前記所蔵資料の貸出及び返却を行なうことを特徴とする図書館の自動貸出返却システム。
【請求項２】
前記した画面表示端末はタブレットとして自動貸出返却機に装着し、前記したデータベースはその自動貸出返却機に接続してあることを特徴とする請求項１に記載の図書館の自動貸出返却システム。
【請求項３】
前記したタブレットは自動貸出返却機に着脱可能としてあることを特徴とする請求項２に記載の図書館の自動貸出返却システム。
【請求項４】
前記したタブレットに図書館の所蔵資料のデータベースを電気的に直接に接続し、かつ、タブレットに所蔵資料に設けられた個体識別データを読み取り確認するためのアンテナ内蔵ＲＦＩＤリーダライタを接続使用することを特徴とする請求項１に記載の図書館の自動貸出返却システム。
【請求項５】
前記したアンテナ内蔵ＲＦＩＤリーダライタに利用者認証のための磁気認証機能を保有させてあることを特徴とする請求項４に記載の図書館の自動貸出返却システム。
【請求項６】
前記したアンテナ内蔵ＲＦＩＤリーダライタは前記したタブレットのジャケットカバーに装備してあることを特徴とする請求項４に記載の図書館の自動貸出返却システム。
【発明の詳細な説明】
【技術分野】
【０００１】
本発明は、図書館の自動貸出返却システムに関し、図書館が所蔵する図書を始めとする地図、録画済、録音済のテープやＤＶＤ等々の資料の自動貸出、及び自動返却のためのシステムに関する。
【背景技術】
【０００２】
従来、上記した自動貸出、返却のシステムはモニターと管理用のパーソナルコンピュータを必要とし、自立式、卓上式の種類はあるものの装置自体のサイズが大きく、そのためのスペースを必要とし、価格も高騰し、その設置位置の移動も重量があるため大変な作業となり、かつ、ランニングコストも大きなものとなっており、故障した場合の修理やメンテナンスのための費用も大きなものとなっている。
【先行技術文献】
【特許文献】
【０００３】
出願人は、本願発明について、先行する技術文献を調査したが、格別に本願発明と関連し、類似すると思われる文献は発見できなかった。
【発明の概要】
【発明が解決しようとする課題】
【０００４】
本発明が解決しようとする問題点は、従来、図書館における資料、特に図書の自動貸出、返却手続に関し、使用する機器は、モニター及び管理用パーソナルコンピュータを少なくとも必要とし、価格が非常に高く、サイズも重量も大きくなるため、それに見合うスペースを必要とし、移動も困難で、ランニングコスト、メンテナンスフィーにも大きな費用を要することとなってしまうという点である。
【課題を解決するための手段】
【０００５】
上記した問題点を解決するために、本発明に係る図書館の自動貸出返却システムは、携行移動を可能な画面表示端末を図書館の所蔵資料のデータベースと電気的に接続して、利用者の認証と前記所蔵資料に設けられた個体識別データを確認し、前記所蔵資料の貸出及び返却を行なうことを特徴とし、前記した画面表示端末はタブレットとして自動貸出返却機に装着し、前記したデータベースはその自動貸出返却機に接続してあることを特徴としている。
【０００６】
また、本発明に係る図書館の自動貸出返却システムは、前記したタブレットは自動貸出返却機に着脱可能としてあることを特徴としている。
【０００７】
さらに、本発明に係る図書館の自動貸出返却システムは、前記したタブレットに図書館の所蔵資料のデータベースを電気的に直接に接続し、かつ、タブレットに所蔵資料に設けられた個体識別データを読み取り確認するためのアンテナ内蔵ＲＦＩＤリーダライタを接続使用することを特徴とし、前記したアンテナ内蔵ＲＦＩＤリーダライタに利用者認証のための磁気認証機能を保有させてあることを特徴としている。
【０００８】
さらに、本発明に係る図書館の自動貸出返却システムは、前記したアンテナ内蔵ＲＦＩＤリーダライタは前記したタブレットのジャケットカバーに装備してあることを特徴としている。
【発明の効果】
【０００９】
本発明に係る図書館の自動貸出返却システムは上記のように構成されている。そのため、全体として小型化、軽量化されて、設置のためのスペースも小さくて済み、設備費用が大きく低減される。また、ランニングコスト、メンテナンスのコストも大きく低減させることができ、運用管理の労力も軽減されることとなる。
【図面の簡単な説明】
【００１０】
【図１】第一の実施例を示す概要図である。
【図２】第二の実施例を示す概要図である。
【図３】第三の実施例を示す概要図である。
【図４】使用されるアンテナ内蔵ＲＦＩＤリーダライタの他の例を示す図である。
【図５】第四の実施例を示す概要図である。
【発明を実施するための形態】
【００１１】
図面として示し、実施例で説明したように構成したことで実現した。
【実施例１】
【００１２】
次に、図１を参照して本発明の第一実施例を説明する。図中７は自動貸出返却機本体を示しており、図書館の所蔵資料のデータベース６とＬＡＮで接続されている。この自動貸出返却機本体７の上面の一部には利用者認証のためのカードリーダ２が設けられており、このカードリーダ２は非接触式のＩＣを搭載したカード、磁気カード、二次元バーコードに対応することができるものとなっている。尚、ＬＡＮは無線ＬＡＮでも可能なことは勿論である。
【００１３】
また、前記カードリーダ２の前方下方にはプリンタ３が備えられており、そのプリンタ３の前方排出口から、ロール紙を用いた貸出票Ｐがプリントアウトされるものとなっている。
【００１４】
さらに、前記したカードリーダ２及びプリンタ３のサイドには、貸出あるいは返却のための書籍Ｂを載置するパートが設けられており、このパートの下方内部には、書籍Ｂに装備された個体識別のデータが入ったＩＣを備えた電子タグのアンテナと通信するＲＦＩＤアンテナ５と、そのＲＦＩＤアンテナ５からの情報を受け、認識するＲＦＩＤリーダライタ４が設けられている。
【００１５】
そして、図中１はモバイル端末としてのタブレットを示しており、このタブレット１が従前のモニター及び管理用パーソナルコンピュータの代わりとして使用される。タブレット１を使用することで、キーボードも必要なく、省スペースで済み、運用管理の労力も軽減され、仮に故障が生じてもこのタブレット１の交換によって安価で修復することができることとなる。
【実施例２】
【００１６】
続いて、図２を参照して第二の実施例を説明する。第一の実施例と共通する部分は同一の符号を付して詳細な説明は省略する。この第二の実施例にあって１ａはタブレットを示しているが、このタブレット１ａは図書の検索や電子図書閲覧用として図書館側が利用者に配布、もしくは貸与したものである。このタブレット１ａは利用者が自ら直接、自動貸出返却機７へ差し込み装着して利用することができるので、より一層、自動貸出返却機７の設置位置の移動が容易となる。
【００１７】
また、このタブレット１ａに対して、ＲＦＩＤリーダライタ４を接続し、プリンタ３には無線ＬＡＮで情報を送信することも可能となる。
【実施例３】
【００１８】
次に、図３、図４を参照して第三の実施例を説明する。この第三の実施例にあって１ｂは利用者が自ら持ち込んだタブレットを示している。このタブレット１ｂは図書館のデータベース６と無線ＬＡＮによって接続され、この無線ＬＡＮの通信可能なエリアにあって自由に書籍Ｂ等の資料の貸出、返却が可能となる。
【００１９】
このタブレット１ｂに対しては、前記したＲＦＩＤリーダライタ４のアプリケーションをダウンロードし、図書館側からアンテナ内蔵ＲＦＩＤリーダライタ８を貸与する。このアンテナ内蔵ＲＦＩＤリーダライタ８はタブレット１ｂに挿し込み装着される。このアンテナ内蔵ＲＦＩＤリーダライタ８によって書籍Ｂ等の資料の個別情報データを通信する。無線ＬＡＮによってタブレット１ｂは図書館の所蔵資料のデータベース６と接続されているので、このタブレット１ｂの画面上で利用者の認証を行なって、所望の書籍Ｂ等の資料をアンテナ内蔵ＲＦＩＤリーダライタ８によって貸出処理を行なう。前記した貸出票Ｐは利用者宛にｅメールを送信することでプリンタも省略でき、ランニングコストをその分節約できる。
【００２０】
また、前記したアンテナ内蔵ＲＦＩＤリーダライタ８は図４として示す磁気認証リーダ機能を付けたアンテナ内蔵ＲＦＩＤリーダライタ８ａとすることもでき、この磁気認証リーダ機能に利用者の磁気カード９を読み込ませることで認証作業がより一層簡易なものとなり、タブレット１ｂの画面上の操作を省略できる。
【実施例４】
【００２１】
続いて、図５を参照して第四の実施例を説明する。図中１ｃはタブレットを示しているが、この場合のタブレット１ｃは利用者が持ち込んだものでも、図書館側が貸与したものでもよい。このタブレット１ｃは前記したと同様に無線ＬＡＮで図書館の所蔵資料のデータベース６と接続され、この無線ＬＡＮの通信可能エリアで書籍Ｂ等の資料の貸出、返却が可能となる。尚、この第四の実施例は第三の実施例と同様に、前記した第一、第二の実施例にあっても貸出票Ｐに代え、ｅメールを送信することでプリンタとロール紙を省き、コストダウンを図ることができる。
【００２２】
このタブレット１ｃにはアンテナ内蔵ＲＦＩＤリーダライタが装備されたジャケットカバー１０が取り付けられる。このジャケットカバー１０は図書館側の貸与となる。このジャケットカバー１０をタブレット１ｃに装着することで、無線ＬＡＮの通信可能エリアならば図書館内のどこの場所でも書籍Ｂをはじめとする資料の貸出が可能となる。
【産業上の利用可能性】
【００２３】
本実施例に係る図書館の自動貸出返却システムは上記のように構成されている。本実施例にあっては携行移動を可能な画面表示端末としてタブレットを具体例として示しているが、実施例１に示す予め設置型の場合を除き、図書館側から配布もしくは貸与、あるいは利用者が自ら持ち込む場合には、このタブレットに代えてスマートフォンの使用も可能なものとなる。
【符号の説明】
【００２４】
１，１ａ，１ｂ，１ｃ    タブレット
２    利用者カードリーダ
３    プリンタ
４    ＲＦＩＤリーダライタ
５    ＲＦＩＤアンテナ
６    図書館の所蔵資料のデータベース
７    自動貸出返却機本体
８    アンテナ内蔵ＲＦＩＤリーダライタ
８ａ    磁気認証リーダ機能付アンテナ内蔵ＲＦＩＤリーダライタ
９    磁気カード
１０  ジャケットカバー
Ｂ    書籍
Ｐ    貸出票
【図１】
2015219676.tif 000003
【図２】
2015219676.tif 000004
【図３】
2015219676.tif 000005
【図４】
2015219676.tif 000006
【図５】
2015219676.tif 000007